(57)【要約】【課題】必要なグリップ力が得られ、かつ指の密着感も自然で疲労が少ないスポーツ用手袋を提供する。【解決手段】手の親指を収容する第１の指袋と、親指以外の４本指を一括して収容する第２の指袋とを備えたスポーツ用手袋であって、第２の指袋は、先端に、一括収容される所定の指の指先と同じ形状の指先袋を有する。そして、第２の指袋は、４本指それぞれの先端から最初の関節までが収容される４つの指先袋を有してもよく、また、人差指、中指、及び薬指それぞれの先端から最初の関節までが収容される３つの指先袋を有してもよい。【選択図】図１
2008240164.tif 000002
【特許請求の範囲】
【請求項１】
手の親指を収容する第１の指袋と、該親指以外の４本指を一括して収容する第２の指袋とを備えたスポーツ用手袋であって、該第２の指袋は、先端に、一括収容される所定の指の指先と同じ形状の指先袋を有することを特徴とするスポーツ用手袋。
【請求項２】
前記第２の指袋は、前記４本指それぞれの先端から最初の関節までが収容される４つの指先袋を有することを特徴とする請求項１記載のスポーツ用手袋。
【請求項３】
前記第２の指袋は、人差指、中指、及び薬指それぞれの先端から最初の関節までが収容される３つの指先袋を有することを特徴とする請求項１記載のスポーツ用手袋。
【請求項４】
手の親指を収容する第１の指袋と、手の人差指を収容する第２の指袋と、手の中指、薬指、及び小指を一括して収容する第３の指袋とを備えたスポーツ用手袋であって、該第３の指袋は、前記中指、薬指、及び小指それぞれの指先が収容される３つの指先袋を有することを特徴とするスポーツ用手袋。
【発明の詳細な説明】
【技術分野】
【０００１】
本発明は、スポーツを行う際に着用するスポーツ用手袋に関し、特に野球のバット、テニスやバドミントンのラケット、ゴルフのクラブなど棒状の運動具を握ってスイングする際に着用するスポーツ用手袋に関する。
【背景技術】
【０００２】
野球のバット、テニスやバドミントンのラケット、ゴルフクラブなどの棒状の運動具を用いて競技や練習を行うときには、それらの運道具をしっかりと握り、手から運道具がスッポ抜けることがないように、またスイング後の打球の弾道、飛距離、方向などが不安定にならないようにしなければならない。しかしながら、素手で運道具を握ると、打球時の衝撃によって手にしびれが生じることや握る手にまめができやすい。そこで、柔軟性があって、手によくフィットする、例えば天然皮革や人工皮革などを素材とした手袋を着用するのが一般的である。
これに対して、例えば野球のバットを握る際のフィット感を更によくするために手袋の甲側に伸縮性のよい素材を使用すると、手の平側に弛みや皺が生じ、通常よりも大きなグリップ力が必要になるので、手の甲側に帯を設けて手の甲の締め付け力を増す方法（特許文献１参照）や、小指、薬指、中指の締め付け力を個別に調整可能にする方法（特許文献２参照）などが提案されている。
また、汗や湿気によって手袋が滑りやすくなり、グリップが緩んでしまうことから、適度な吸水性があり、湿っていても乾いていても滑らない素材を開発し、その素材を手袋に用いる提案（特許文献３参照）や、ゴルフのバックスイングのトップ位置で左手のグリップが緩み、打球がスライスするのを防止するため、手の平部分に着けるパッドの位置を自由に選択できるようにする方法（特許文献４参照）、手の平部分に球面状に隆起したパッドを止着してグリップ力を格段に向上させる方法（特許文献５参照）などが提案されている。
【特許文献１】特開２００２−６５９２８号
【特許文献２】特開２００３−３３４２７２号
【特許文献３】特開２００４−０１１０４１号
【特許文献４】特開２００４−１８１１４５号
【特許文献５】特開２００５−８０７４３号
【発明の開示】
【発明が解決しようとする課題】
【０００３】
一般に、競技や練習のために棒状の運動具を握ってスイングする際には、中指、薬指、小指を密着させるか、あるいは親指を除く４本指を密着させ、密着させたそれらの指の締め付け力によって所要のグリップ力を得ている。しかしながら、上述したスポーツ用手袋は、何れも５本指タイプであり、所要のグリップ力は、指袋を介在させた各指の締め付け力によって得ており、素手で握る場合に較べると違和感があり、素材を介して握る手に力が入ったり、指が疲労したりすることが多い。
本発明は、上記事情に鑑み、必要なグリップ力が得られ、かつ指の密着感も自然で疲労が少ないスポーツ用手袋を提供することを目的とする。
【課題を解決するための手段】
【０００４】
本発明のスポーツ用手袋は、手の親指を収容する第１の指袋と、該親指以外の４本指を一括して収容する第２の指袋とを備えたスポーツ用手袋であって、該第２の指袋は、先端に、一括収容される所定の指の指先と同じ形状の指先袋を有することを特徴とする。
このように、親指以外の４本指を同じ指袋に一括して収容するので、運道具を握る際の各指が密着するうえ、その指袋の先端には、指先と同じ形状の指先袋があるので、運道具を指先でしっかりと握ることができる。
また、上記第２の指袋は、上記４本指それぞれの先端から最初の関節までが収容される４つの指先袋を有することも好ましい態様であり、上記第２の指袋は、人差指、中指、及び薬指それぞれの先端から最初の関節までが収容される３つの指先袋を有することも好ましい態様である。
このように、第２の指袋の先端に、４本指それぞれの先端から最初の関節まで、あるいは人差指、中指、及び薬指それぞれの先端から最初の関節までが収容される指先袋を設ければ、棒状の運動具を握ったときの指の締め付け力は、素手の場合とほとんど変わらない。
本発明のスポーツ用手袋は、手の親指を収容する第１の指袋と、手の人差指を収容する第２の指袋と、手の中指、薬指、及び小指を一括して収容する第３の指袋とを備えたスポーツ用手袋であって、該第３の指袋は、上記中指、薬指、及び小指それぞれの指先が収容される３つの指先袋を有することを特徴とする。
このように、親指と人差指をそれぞれ個別の指袋に収容し、中指、薬指、及び小指は、一括して１つの指袋に収容する一方、中指、薬指、及び小指それぞれの指先を収容する３つの指先袋が設けてあるので、親指、人差指とによる締め付け力と、中指、薬指、及び小指による締め付け力とによって所要のグリップ力が得られ、中指、薬指、及び小指は、同じ指袋に収容されるため違和感や指の疲れが少ない。
【発明の効果】
【０００５】
本発明のスポーツ用手袋によれば、必要なグリップ力が得られ、かつ指相互の密着感も自然で、指の疲労が少ない。
【発明を実施するための最良の形態】
【０００６】
以下に、本発明のスポーツ用手袋の実施形態について説明する。
［第１の実施形態］
図１は、第１の実施形態のスポーツ用手袋を示す図である。
図１に示すように、第１の実施形態のスポーツ用手袋１は、手の親指を収容する第１の指袋１０と、その親指以外の４本指（人差指、中指、薬指、小指）を一括収容する第２の指袋３０と、手首を収容する口部４０とを備えている。第２の指袋３０の先端には、人差指の先端から最初の関節Ｐ１までが収容される人差指用指先袋３１と、中指の先端から一方の側は人差指の最初の関節Ｐ１まで、他方の側は薬指の最初の関節Ｐ３までが収容され、結果的に中指の関節Ｐ２までが収容される中指用指先袋３２と、薬指の先端から最初の関節Ｐ３までが収容される薬指用指先袋３３と、小指の先端から最初の関節Ｐ４までが収容される小指用指先袋３４と、がある。
ここで、本実施形態の口部４０は、伸縮部材により形成されており、手先を出し入れする都度、開口４１が拡張するように構成され、手首に固定される。しかし、口部４０は、必ずしもこの構成に限定する必要はなく、例えば開口端縁４２に切込部を設けるとともに、切込部の一方の切片に舌片を延接させ、延接させた舌片と他方の切片とを面ファスナで係合することにより、手首に固定させてもよい。
また、第２の指袋３０の先端に設けられた指先袋３１〜３４は、指の先端から最初の関節Ｐ１〜Ｐ４までが収容されるように構成されているが、指先袋３１〜３４は、必ずしも指の先端から最初の関節までが収容されるように構成する必要はなく、指の先端から最初の関節Ｐ１〜Ｐ４に至る途中までが収容されるように構成されたものであってもよい。
本実施形態のスポーツ用手袋１は、例えば天然皮革、合成皮革、不織繊維、天然ゴム、合成ゴム、ポリアミドなどのシートを型抜きして手の平側部材と手の甲側部材を形成し、手の平側部材及び手の甲側部材双方を縫い合わせて作成することもできるし、不織繊維、天然ゴム、合成ゴム、ポリアミドなどに熱を加えた接着剤で貼合わせて作成することもできるし、ゴムラテックス中に予め作成した手袋の型を侵漬して一体成形して作成することもできる。また、手の甲側部材及び手の平側部材は、上記シート単層でもよいし、手の平側部材は、上記シート外表面に機械的強度に優れたウレタンゴム、ポリアミド繊維などを貼着し２層構造としてもよい。さらに、天然皮革、合成皮革、不織繊維を縫製加工したもの、あるいは綿糸を編んだものなどに、天然ゴム、合成ゴム、ポリアミド、塩化ビニルなどの合成樹脂で被膜し、滑り止め加工を施して作成してもよいが、上記の素材や製法に限定する必要はない。
本実施形態の第２の指袋３０には、４本指の付け根Ｑ１〜Ｑ４から最初の関節Ｐ１〜Ｐ４までが一括収容されているので、４本指はあたかも素手同様に密着し、棒状運動具を握る際に違和感がない。また、各指は、指の先端から最初の関節Ｐ１〜Ｐ４までが個別の指先袋３１〜３４に収容され、個別に指先を動かすことができるので、棒状運動具を各指先でしっかりと握り締め、所要のグリップ力を得ることができる。
【０００７】
［第２の実施形態］
第２の実施形態のスポーツ用手袋は、第１の実施形態のスポーツ用手袋に較べると、小指用指先袋を設けていない点は相違するが、それ以外は同じであるから、相違点について説明する。
図２は、第２の実施形態のスポーツ用手袋を示す図である。
図２に示すように、第２の実施形態のスポーツ用手袋２は、第１の実施形態のスポーツ用手袋と同様に、手の親指を収容する第１の指袋１０と、その親指以外の４本指を一括して収容する第２の指袋３０と、手首を収容する口部４０とを備えている。また、第２の指袋３０の先端には、第１の実施形態のスポーツ用手袋１と同様に、一括収容される人差指の先端から最初の関節Ｐ１までが収容される人差指用指先袋３１と、中指の先端から一方の側は人差指の最初の関節Ｐ１まで、他方の側は薬指の最初の関節Ｐ３までが収容され、結果的に中指の関節Ｐ２までが収容される中指用指先袋３２と、薬指の先端から最初の関節Ｐ３までが収容される薬指用指先袋３５とがある。しかしながら、第１の実施形態のスポーツ用手袋１と異なり、小指用指先袋３４は設けていないので、小指は薬指用指先袋３５に収容され、小指と薬指の指先が一体で運動具を握るように構成されている。
本実施形態の第２の指袋２も、４本指の付け根Ｑ１〜Ｑ４から最初の関節Ｐ１〜Ｐ３までが一括収容されているので、４本指はあたかも素手同様に密着し、棒状運動具を握る際に違和感がない。また、人差指、中指、薬指は、個別の指先袋３１〜３３に収容されて個別に指先を動かすことができ、また小指も薬指と一体となって動かすことができることから、本実施形態のスポーツ用手袋２は、第１の実施形態のスポーツ用手袋１と同様に、棒状運動具を各指先でしっかりと握り締め、所要のグリップ力を得ることができる。
【０００８】
［第３の実施形態］
第３の実施形態のスポーツ用手袋は、指袋が３つあり、親指を収容する指袋のほかに、人差指を単独で収容する指袋を設けているが、素材や製法は第１の実施形態のスポーツ用手袋と同じである。
図３は、第３の実施形態のスポーツ用手袋を示す図である。
図３に示すように、第３の実施形態のスポーツ用手袋３は、手の親指を収容する第１の指袋１０と、手の人差指を単独収容する第２の指袋２０と、手の中指、薬指、及び小指を一括収容する第３の指袋３０と、手首を収容する口部４０とを備えている。また、第３の指袋３０の先端には、中指の指先が収容される中指用指先袋３２と、薬指の指先が収容される薬指用指先袋３３と、小指の指先が収容される小指用指先袋３４とがある。中指用指先袋３２、薬指用指先袋３３、及び小指用指先袋３４は、指の先端から最初の関節Ｐ２〜Ｐ４に至る途中までが収容されるように構成されているが、第１の実施形態のスポーツ用手袋１の指先袋と同様に、指の先端から最初の関節までが収容されるように構成してもよい。
本実施形態のスポーツ用手袋３は、親指を収容する第１の指袋１０と人差指を単独で収容する第２の指袋２０とが設けられているので、棒状の運動具を親指と人差指で掴み、右手と左手とをオーバーラップして握ることができる。また第３の指袋３０には、中指、薬指、及び小指が一括収容されるので、中指、薬指、及び小指はあたかも素手同様に密着し、棒状運動具を握る際の違和感がない。また、中指、薬指、及び小指は、個別の指先袋３２〜３４に収容されるので、個別に指先を動かすことができ、棒状運動具を指先でしっかりと握り締め、所要のグリップ力を得ることができる。
【産業上の利用可能性】
【０００９】
本発明のスポーツ用手袋は、野球、テニス、バドミントン、アイスホッケー、ゴルフなどの棒状の運動具を用いるスポーツのみならず、物を掴む作業の防寒に用いることもできる。
【図面の簡単な説明】
【００１０】
【図１】第１の実施形態のスポーツ用手袋を示す図である。
【図２】第２の実施形態のスポーツ用手袋を示す図である。
【図３】第３の実施形態のスポーツ用手袋を示す図である。
【符号の説明】
【００１１】
１、２、３  スポーツ用手袋
１０  手の親指を収容する第１の指袋
２０  手の人差指を単独収容する第２の指袋
３０  ４本指を一括収容する第２の指袋
３１  人差指用指先袋
３２  中指用指先袋
３３  薬指用指先袋
３４  小指用指先袋
３５  薬指用指先袋
４０  口部
５０  中指、薬指、及び小指を一括収容する第３の指袋
Ｐ１〜Ｐ４  最初の関節
Ｑ１〜Ｑ４  指の付け根
【図１】
2008240164.tif 000003
【図２】
2008240164.tif 000004
【図３】
2008240164.tif 000005